(57)【要約】【課題】先端工具が取り付けられる工具出力部を往復動させる往復動機構部を有した往復動工具として構成される電動工具において、バッテリ装着部に装着された充電式バッテリのガタつきを十分に解消する。【解決手段】前バッテリ当接部５５と後バッテリ当接部６５は、ハンマビットの往復動に沿った前後方向で、このバッテリ装着部５０（５１，６１）に装着された充電式バッテリ９０に対して付勢力を与えることができる。これによって、ハンマビットの往復動に沿った前後方向でのバッテリ装着部５０（５１，６１）に対する充電式バッテリ９０の相対的な動きを止めることができる。つまり、ハンマビットの往復動方向に沿って振動し易い充電式バッテリ９０のガタつきをより解消する。なお、バッテリ当接部５５，６５は、本体ハウジングの外側に設けられる成形材料（弾性材料）を本体ハウジングの内側に回して設けられる。【選択図】図８
2015074060.tif 000002
【特許請求の範囲】
【請求項１】
充電式バッテリをスライドさせて装着させるバッテリ装着部を有し且つ該バッテリ装着部に装着された充電式バッテリから電力供給されて駆動する電動工具であって、
工具出力部に取り付けられた先端工具を往復動させる往復動機構部を有した往復動工具として構成され、
前記バッテリ装着部には、本体ハウジングと一体に成形される弾性材料によって形成され且つ前記バッテリ装着部に装着される前記充電式バッテリに対して当接するバッテリ当接部が設けられており、
前記バッテリ当接部は、前記先端工具の往復動方向となる第１の方向で該充電式バッテリに対して付勢力を与えるように当接する構成となっている、ことを特徴とする電動工具。
【請求項２】
請求項１に記載の電動工具において、
前記バッテリ当接部は、前記本体ハウジングの外側に設けられる前記弾性材料を該本体ハウジングの内側に回して設けられる、ことを特徴とする電動工具。
【請求項３】
請求項１または請求項２に記載の電動工具において、
前記バッテリ当接部には、前記第１の方向に対して交差する第２の方向で前記充電式バッテリに当接する当接先端部が設けられている、ことを特徴とする電動工具。
【請求項４】
請求項３に記載の電動工具において、
前記バッテリ装着部には、前記バッテリ装着部に装着された前記充電式バッテリを前記第１の方向および前記第２の方向の両方向に対して交差する第３の方向で当接する装着当接部が設けられている、ことを特徴とする電動工具。
【請求項５】
請求項１から請求項４のいずれかに記載の電動工具において、
前記バッテリ当接部は、前記充電式バッテリに設けられるガイド雄部がスライド方向で嵌められて該充電式バッテリの装着のためのスライドを案内するガイド溝部に設けられている、ことを特徴とする電動工具。
【請求項６】
請求項１から請求項５のいずれかに記載の電動工具において、
前記弾性材料は、該本体ハウジングの内部に設けられる電材部品に当接して該電材部品を該本体ハウジングの内部で支持する部品支持部も一体に形成する、ことを特徴とする電動工具。
【請求項７】
請求項１から請求項６のいずれかに記載の電動工具において、
前記バッテリ装着部が複数設けられている、ことを特徴とする電動工具。
【請求項８】
請求項１から請求項７のいずれかに記載の電動工具において、
前記バッテリ装着部の前記充電式バッテリを装着させるスライド方向は、前記先端工具の往復動方向と交差する方向に設定されている、ことを特徴とする電動工具。
【発明の詳細な説明】
【技術分野】
【０００１】
本発明は、電源として充電式バッテリをスライドして装着する電動工具に関する。
【背景技術】
【０００２】
電源として充電式バッテリを装着する電動工具が知られている。この電動工具は、装着された充電式バッテリから電力供給されて内蔵の電動モータに回転駆動させる。電動モータの回転駆動は、適宜に駆動変換されて所望の電動工具として機能する。このような電動工具には、スライドさせることにより充電式バッテリを装着したり取外したりするものが知られている（例えば下記特許文献１参照）。
【先行技術文献】
【特許文献】
【０００３】
【特許文献１】特開２０１０−２４０７９７号公報
【発明の概要】
【発明が解決しようとする課題】
【０００４】
一方、バッテリ装着部は、充電式バッテリのスライド装着が適切に行われるように適宜のクリアランスが設けられている。しかしながら、このようなクリアランスは、バッテリ装着部に装着後の充電式バッテリをガタつかせてしまう要因にもなる。上記特許文献１にて開示される発明では、バッテリ装着部に装着された後の充電式バッテリに当接させる樹脂製当接部材が設けられている。この樹脂製当接部材は、装着後の充電式バッテリに当接して、装着後の充電式バッテリとバッテリ装着部との間に生ずる隙間を埋めるように作用して、装着後の充電式バッテリのガタを抑えるようになっている。
他方、上記した電動工具にあっては、ニーズに応じて多様化されつつある。すなわち、上記した電動工具には、ハンマドリルやレシプロソーのように加工工具を往復動させる駆動態様のものがある。このような加工工具を往復動させる往復動工具にあっては、この往復動を受けて充電式バッテリが共振してしまい易い。つまり、装着された充電式バッテリは、バッテリ装着部に対して相対的に振動してしまい易い。そうすると、上記したように樹脂製当接部材を単純に設けたのでは、バッテリ装着部に対する充電式バッテリの相対的な動きを十分に抑えることができずに、バッテリ装着部に対して充電式バッテリがガタついてしまい易くなる。
【０００５】
本発明は、このような事情に鑑みなされたものであって、本発明が解決しようとする課題は、充電式バッテリをスライドさせて装着させるバッテリ装着部を有し、且つ先端工具が取り付けられる工具出力部を往復動させる往復動機構部を有した往復動工具として構成される電動工具において、バッテリ装着部に装着された充電式バッテリのガタつきを十分に解消することにある。
【課題を解決するための手段】
【０００６】
上記した課題を解決するにあたって、本発明に係る電動工具は次の手段をとる。
すなわち、本発明の第１の発明に係る電動工具は、充電式バッテリをスライドさせて装着させるバッテリ装着部を有し且つ該バッテリ装着部に装着された充電式バッテリから電力供給されて駆動する電動工具であって、工具出力部に取り付けられた先端工具を往復動させる往復動機構部を有した往復動工具として構成され、前記バッテリ装着部には、本体ハウジングと一体に成形される弾性材料によって形成され且つ前記バッテリ装着部に装着される前記充電式バッテリに対して当接するバッテリ当接部が設けられており、前記バッテリ当接部は、前記先端工具の往復動方向となる第１の方向で該充電式バッテリに対して付勢力を与えるように当接する構成となっている、ことを特徴とする。
この第１の発明に係る電動工具によれば、バッテリ当接部は、先端工具の往復動方向で充電式バッテリに対して付勢力を与えるので、先端工具の往復動方向でのバッテリ装着部に対する充電式バッテリの相対的な動きを止めることができる。したがって、先端工具の往復動方向に振動し易い充電式バッテリのガタつきをより解消することができるので、バッテリ装着部に装着された充電式バッテリのガタつきの解消は十分なものにすることができる。
【０００７】
また、第２の発明に係る電動工具は、前記第１の発明に係る電動工具において、前記バッテリ当接部は、前記本体ハウジングの外側に設けられる前記弾性材料を該本体ハウジングの内側に回して設けられる、ことを特徴とする。この第２の発明に係る電動工具によれば、バッテリ当接部は、本体ハウジングの外側に設けられる弾性材料を本体ハウジングの内側に回して設けられるので、１つの弾性材料で成形することができるようになる。これによって、上記した第１の発明に係る作用効果を奏することができながら、成形時の材料点数を抑えることができ、製造作業の簡単化や製造コストの安価化等の観点から有利とできる。
また、第３の発明に係る電動工具は、前記第１または前記第２の発明に係る電動工具において、前記バッテリ当接部には、前記第１の方向に対して交差する第２の方向で前記充電式バッテリに当接する当接先端部が設けられている、ことを特徴とする。この第３の発明に係る電動工具によれば、バッテリ当接部には、第１の方向に対して交差する第２の方向で充電式バッテリに当接する当接先端部が設けられているので、充電式バッテリを２つの交差する方向で当接して支持することができる。これによって、充電式バッテリの２つの交差する方向のガタつきを解消することができるので、バッテリ装着部に装着された充電式バッテリのガタつきの解消をより十分なものにすることができる。
また、第４の発明に係る電動工具は、前記第３の発明に係る電動工具において、前記バッテリ装着部には、前記バッテリ装着部に装着された前記充電式バッテリを前記第１の方向および前記第２の方向の両方向に対して交差する第３の方向で当接する装着当接部が設けられている、ことを特徴とする。この第４の発明に係る電動工具によれば、装着された充電式バッテリを第１の方向および第２の方向の両方向に対して交差する第３の方向で当接する装着当接部が設けられているので、上記した当接先端部と共に装着された充電式バッテリを３つの交差する方向で当接して支持することができる。これによって、充電式バッテリの３つの交差する方向のガタつきを解消することができるので、バッテリ装着部に装着された充電式バッテリのガタつきの解消を更に十分なものにすることができる。
【０００８】
また、第５の発明に係る電動工具は、前記第１から前記第４のいずれかに係る電動工具において、前記バッテリ当接部は、前記充電式バッテリに設けられるガイド雄部がスライド方向で嵌められて該充電式バッテリの装着のためのスライドを案内するガイド溝部に設けられている、ことを特徴とする。この第５の発明に係る電動工具によれば、バッテリ当接部はガイド溝部に設けられている。このガイド溝部は、充電式バッテリのガイド雄部に対応した雌形に形成されているので、このガイド雄部を囲うように摺接することができる。これによって、バッテリ装着部に装着された充電式バッテリのガタつきを多方向で効率良く解消することができる。
また、第６の発明に係る電動工具は、前記第１から前記第５のいずれかに係る電動工具において、前記弾性材料は、該本体ハウジングの内部に設けられる電材部品に当接して該電材部品を該本体ハウジングの内部で支持する部品支持部も一体に形成する、ことを特徴とする。この第６の発明に係る電動工具によれば、弾性材料は、本体ハウジングの内部に設けられる電材部品に当接して電材部品を本体ハウジングの内部で支持する部品支持部も一体に形成するので、１つの弾性材料の成形により更に電材部品を支持することができる。これによって、上記した作用効果を奏することができながら、電材部品を支持するための成形時の材料点数を抑えることができる。したがって、製造作業の簡単化や製造コストの安価化等の観点から有利とすることができる。
また、第７の発明に係る電動工具は、前記第１から前記第６のいずれかに係る電動工具において、前記バッテリ装着部が複数設けられている、ことを特徴とする。この第７の発明に係る電動工具によれば、バッテリ装着部が複数設けられているので、複数の充電式バッテリを装着することができる。これによって、電力供給に関しての能力を上げることができる電動工具とすることができる。
また、第８の発明に係る電動工具は、前記第１から前記第７のいずれかに係る電動工具において、前記バッテリ装着部の前記充電式バッテリを装着させるスライド方向は、前記先端工具の往復動方向と交差する方向に設定されている、ことを特徴とする。この第８の発明に係る電動工具によれば、バッテリ装着部の充電式バッテリを装着させるスライド方向は、先端工具の往復動方向と交差する方向に設定されているので、先端工具の往復動方向での充電式バッテリの嵩張りを減らすことができる。これによって、先端工具の往復動方向のコンパクト化を図った電動工具とすることができる。
【図面の簡単な説明】
【０００９】
【図１】電動工具としてのハンマドリル全体の左側外観を示す左側外観図である。
【図２】図１のハンマドリルの下側外観を示す下側外観図である。
【図３】図１のハンマドリルの後側外観を示す後側外観図である。
【図４】ハンマドリルの内部構造を右側半割断面にて示す右側半割断面図である。
【図５】ハンマドリルの内部構造を左側半割断面にて示す左側半割断面図である。
【図６】充電式バッテリを取り外した図１のバッテリ装着部の拡大外観図である。
【図７】充電式バッテリを取り外した図２のバッテリ装着部の拡大外観図である。
【図８】図４における(VIII)-(VIII)断面矢視を示す断面図である。
【図９】図４における(IX)-(IX)断面矢視を示す断面図である。
【図１０】図４における(X)-(X)断面矢視を示す断面図である。
【図１１】図８における(XI)-(XI)断面矢視を示す断面図である。
【図１２】ガイド溝部の内部を下側から斜視拡大して示す斜視図である。
【図１３】ガイド溝部の内部を上側から斜視拡大して示す斜視図である。
【図１４】本体ハウジングと補強部材とを分解状態で示す斜視図である。
【図１５】補強部材の組付け箇所に関して拡大して示す分解斜視図である。
【図１６】左側ハウジングに補強部材の組み付けた場合を示す正面図である。
【図１７】左側ハウジングと右側ハウジングとを合体させた補強部材の組付け箇所（図７の(XVII)で示す箇所）を拡大して示す正面図である。
【図１８】別の補強部材の例を拡大して示す斜視図である。
【図１９】図１８の補強部材を左側ハウジングに組み付けた場合を示す斜視図である。
【発明を実施するための形態】
【００１０】
以下、本発明に係る電動工具を実施するための実施の形態について説明する。図１〜図５に示す符号１０は、本発明に係る電動工具に相当するハンマドリルである。このハンマドリル１０は、本発明に係る往復動工具にも相当すると共に、本発明に係る打撃工具にも相当する。図１〜図３は、充電式バッテリ９０が装着された状態のハンマドリル１０の外観が図示されている。具体的には、図１はハンマドリル１０の全体の左側外観を示す左側外観図であり、図２はハンマドリル１０の下側外観を示す下側外観図であり、図３はハンマドリル１０の後側外観を示す後側外観図である。また、図４および図５は、半割りの断面にてハンマドリル１０の内部構造を示す図となっている。具体的には、図４は、ハンマドリル１０の右側半割断面の内部構造を示す右側半割断面図である。図５は、ハンマドリル１０の左側半割断面の内部構造を示す左側半割断面図である。
なお、このハンマドリル１０を説明するにあたって、通常の使用態様に鑑みて、全図に記載の通りでハンマドリル１０に関しての前後上下左右を規定している。また、ハンマドリル１０は、通常、ピストルを握るようにして使用するように構成されている。このため、被加工材が配置される向きがハンマドリル１０の前側として規定され、この逆向きがハンマドリル１０の後側として規定される。そして、この前後方向に基づいて左右上下方向の向きが規定されている。なお、このハンマドリル１０の前後方向は、ハンマビットＢが往復動する充電式バッテリ９０のスライド方向に対して直交交差する前後方向となっている。このハンマドリル１０の前後方向が本発明に係る第１の方向に相当する。また、このハンマドリル１０の左右方向は、充電式バッテリ９０のバッテリ装着部５０に装着させるスライド方向（左右方向）となっている。このハンマドリル１０の左右方向が本発明に係る第２の方向に相当する。また、ハンマドリル１０の上下方向が、本発明に係る第３の方向に相当する。つまり、バッテリ装着部５０に装着させた充電式バッテリ９０のバッテリ装着部５０と対面する方向が、本発明に係る第３の方向に相当する。
【００１１】
ハンマドリル１０は、先端工具としてハンマビットＢが取り付けられ、穴あけ作業等に利用される電動式の工具として構成されている。ハンマビットＢは、後にも詳述するが、チャック３８に抜け止めされてツールホルダ３７に保持される。なお、このツールホルダ３７は、本発明に係る工具出力部に相当する。
ハンマドリル１０は、手で持って作業できる手持ち式の工具として構成され、電源として充電式バッテリ９０が利用される。すなわち、ハンマドリル１０は、大まかに、工具本体としてのハンマドリル本体１１と、このハンマドリル本体１１に対して着脱可能にされる電源としての充電式バッテリ９０とを備える。このハンマドリル本体１１は、大容量電源に対応できるように２つの充電式バッテリ９０が着脱可能にされている。このように充電式バッテリ９０が装着されるハンマドリル本体１１には、充電式バッテリ９０から供給される電力により駆動する電動モータ１５が内蔵される。電動モータ１５は、本発明に係る駆動源としてのモータに相当する。
ハンマドリル本体１１は、図４および図５に示すように、概略、駆動部１３と、ハンドル部４０と、バッテリ装着部５０とを備える。また、駆動部１３は、モータ部１４と、往復動機構部２１とを備える。モータ部１４は、ハンドル部４０およびバッテリ装着部５０のハウジングも兼ねる本体ハウジング１２により支持される。往復動機構部２１は、往復動機構部２１のみのハウジングとしてのギヤハウジング２２により支持される。本体ハウジング１２は、この往復動機構部２１のギヤハウジング２２の後側部分の外装なしつつ、電動モータ１５をはじめとするハンマドリル本体１１に内蔵される部品を支持する。つまり、往復動機構部２１は、ツールホルダ３７に取り付けられたハンマビットＢを往復動させる。
【００１２】
電動モータ１５が内蔵されるモータ部１４について説明する。電動モータ１５は、固定子１５１と、回転子１５２と、コンミテータ１５３とを備える。固定子１５１は本体ハウジング１２に支持され。回転子１５２は回転軸としてのモータ軸１６に支持される。電力供給された回転子１５２は、モータ軸１６を回転軸として固定子１５１に対して相対回転する。なお、モータ軸１６は、図示するように、後側に僅かに傾きながら上下方向に延びるように配置されている。このモータ軸１６は、下端部分が下側ベアリング１６１により支持され上端部分が上側ベアリング１６２により支持される。これら２つのベアリング１６１，１６２は、本体ハウジング１２により支持されている。このモータ軸１６の下部には、回転子１５２を冷却させる冷却ファン１７が取り付けられている。この冷却ファン１７は、遠心方向に排気するシロッコファンにて構成され、図１等に示す吸気用開口部１８１から外気を吸気し、電動モータ１５を冷却した後に図１等に示す排気用開口部１８２から排気する。モータ軸１６の上端には、入力ギヤ２０が設けられている。この入力ギヤ２０は、次に説明する往復動機構部２１に、モータ軸１６の回転駆動を入力するギヤとして構成される。この入力ギヤ２０は、ベベルギヤとして構成されている。
【００１３】
往復動機構部２１について説明する。往復動機構部２１は、モータ部１４の上側に配置されている。この往復動機構部２１は、電動モータ１５の回転駆動力を適宜に動力変換して出力する。この往復動機構部２１は、スワッシュベアリング式の揺動機構２７を有する動力伝達機構となっている。この往復動機構部２１は、外装をなすギヤハウジング２２の内部に、駆動変換部２３および往復動部３０を装置することで構成される。駆動変換部２３は、入力ギヤ２０から入力された回転駆動力を、ハンマビットＢに向けて回転駆動力および往復動に変換して伝達する。
駆動変換部２３は、概略、ベベルギヤ２４と、中間軸２５と、回転伝達ギヤ２６とを備える。ベベルギヤ２４は、上記した入力ギヤ２０と噛合され、回転軸として中間軸２５が設けられている。この中間軸２５は、入力ギヤ２０の回転を受けて回転するベベルギヤ２４と一体に回転する。中間軸２５は、前後方向で延びるように配置されており、後端部分が後側ベアリング２５１により回転可能に支持されており、前端部分が前側ベアリング２５２により回転可能に支持されている。これら２つのベアリング２５１，２５２は、本体ハウジング１２およびギヤハウジング２２により支持されている。
中間軸２５の前端近くの外周には、回転伝達ギヤ２６が設けられている。この回転伝達ギヤ２６は、中間軸２５と一体に回転するようになっており、上側に配置される回転被伝達ギヤ３５と噛合している。この回転被伝達ギヤ３５は、後に説明する筒状ピストン３１の外周の回転シリンダ３４に設けられており、回転シリンダ３４と一体に回転する。なお、この回転シリンダ３４の前側には、この回転シリンダ３４と一体に回転するツールホルダ３７が取り付けられている。
【００１４】
中間軸２５の中間部分には、スワッシュベアリング式の揺動機構２７が設けられている。この揺動機構２７は、中間軸２５の回転駆動を往復動に変換するように機能する。揺動機構２７は、回転体２７１と、転動ボール２７３と、揺動リング２７５とを備える。回転体２７１は、中間軸２５と一体に設けられている。この回転体２７１の外周面には、ボール溝２７２が切られている。このボール溝２７２は、中間軸２５の回転周方向に対して前後方向で傾けられるようにして設けられている。ボール溝２７２には、転動ボール２７３の公転径内側部分が嵌め込まれる。この転動ボール２７３は、転がるベアリングボールとして機能する。転動ボール２７３の公転径外側部分は、揺動リング２７５の内周面に対して嵌め込まれている。この揺動リング２７５の上側には、揺動ロッド２７７が突き出されるようにして設けられており、この揺動ロッド２７７の上端は、次に説明する筒状ピストン３１の後部が連結されている。なお、図１に示す符号３９は、ハンマビットＢの作動に関しての適宜の切替を行う切替スイッチである。
揺動機構２７は、回転体２７１が中間軸２５と共に回転すると、ボール溝２７２にガイドされて転動する転動ボール２７３が揺動リング２７５の傾斜姿勢を変更する。このように揺動リング２７５の傾斜姿勢が変更されると、揺動リング２７５の上部の揺動ロッド２７７は前後方向で揺動する。このように揺動する揺動ロッド２７７は、次に説明する筒状ピストン３１を含む往復動部３０を前後方向で進退させるように往復動させる。
【００１５】
往復動部３０は、概略、筒状ピストン３１と、ストライカ３２と、インパクトボルト３３とを備える。筒状ピストン３１は、内部が中空の筒状に形成され、ギヤハウジング２２に回転可能に支持されている。この筒状ピストン３１は、回転シリンダ３４の内部で前後方向に移動する。この回転シリンダ３４の外周には、中間軸２５の外周に設けられる回転伝達ギヤ２６が噛合される回転被伝達ギヤ３５が設けられている。
筒状ピストン３１の中空の筒状内部には、打撃子として機能するストライカ３２が配置されている。このストライカ３２は、回転シリンダ３４に対して相対的に前後方向で進退可能となっている。このストライカ３２の打撃力は、チャック３８にて抜け止めされつつツールホルダ３７に保持されるハンマビットＢに対して前側に配置されるインパクトボルト３３を介して軸長方向の衝撃力を伝達する。これら揺動機構２７、ストライカ３２、インパクトボルト３３は、本発明に係る打撃機構を構成する。ツールホルダ３７は、回転シリンダ３４と一体に回転可能な略円筒状に形成されて、内部にハンマビットＢが差し込まれている。ツールホルダ３７の前側には、ハンマビットＢの抜けを規制するチャック３８が取り付けられている。このようにチャック３８にて抜け止めされたハンマビットＢは、周方向で回転するドリル作用と軸長方向で打撃されるハンマ作用とを受けて被加工材を加工するように作動する。
【００１６】
また、上記した往復動機構部２１の後側には、側面視Ｄ字形のハンドル部４０が設けられている。ハンドル部４０の後部は、手で握られるグリップ部４１が設けられている。グリップ部４１には、トリガ形の操作スイッチ４３が設けられている。操作スイッチ４３は、スイッチ本体４３１と操作トリガ４３２とを備える。スイッチ本体４３１は、操作トリガ４３２が引かれるとオン入力される。オン入力されたスイッチ本体４３１は、後に説明するコントローラ４７にオン信号を送信する。
このハンドル部４０および次に説明するバッテリ装着部５０は、外装をなす本体ハウジング１２により形成されている。本体ハウジング１２は、左右で分割されて成形された左側分割ハウジング１２１と右側分割ハウジング１２２とを合体させることにより形成される。つまり、本体ハウジング１２は、本発明に係る成形部材に相当する。また、左側分割ハウジング１２１は、本発明に係る第１成形部材に相当する。また、右側分割ハウジング１２２は、本発明に係る第２成形部材に相当する。つまり、本体ハウジング１２は、充電式バッテリ９０をバッテリ装着部５０に装着させる際のスライド方向の前後に分割された左側分割ハウジング１２１と右側分割ハウジング１２２との合体により形成されている。このため、これら左側分割ハウジング１２１と右側分割ハウジング１２２とにより分割される左右方向は、充電式バッテリ９０をバッテリ装着部５０に装着させる際のスライド方向と一致している。この本体ハウジング１２には、ハンマドリル１０自体を保護するために外装部材７０が貼り着けられるように設けられている。外装部材７０は、本発明に係る弾性部材に相当し、具体的には弾性を有したエラストマー（以下、「成形材料」）にて成形されている。この外装部材７０は、プラスチック樹脂製の本体ハウジング１２（左側分割ハウジング１２１、右側分割ハウジング１２２）を成形するにあたって、本発明に係る弾性材料となる成形材料を２色成形することによって、外装部材７０を本体ハウジング１２と一体にして設けられるようになっている。この外装部材７０は、ハンマドリル１０としての外観意匠に関しての美観向上のために設けられたり、ハンマドリル１０を落としてしまうなど不可抗力で外部から加わる衝撃軽減のために設けられたり、ハンマドリル１０を使用するに際しての使用者の使用感触の向上のために設けられたりするものである。このため、この外装部材７０は、これらの適宜の用途目的により弾性樹脂にて成形されるものとなっている。
ちなみに、外装部材７０には、このハンマドリル本体１１において左右幅方向に張り出すようにされたゴムバンパ部７１として設定される箇所がある。このゴムバンパ部７１は、図３に示すように、後に説明するバッテリ装着部５０の上側において左右幅方向に張り出すようにして設けられている。このゴムバンパ部７１は、不可抗力で外部から加わる衝撃の軽減を主な目的とする。このため、このゴムバンパ部７１は、外部からの不可抗力に対して良好に衝撃軽減がされるように、左右幅方向に突き出される形状を有している。
【００１７】
上記したハンドル部４０の下側に位置される本体ハウジング１２は、コントローラ支持部４５およびバッテリ装着部５０を構成する。すなわち、図６は、充電式バッテリ９０を取り外した図１のバッテリ装着部５０の拡大外観図である。図７は、充電式バッテリ９０を取り外した図２のバッテリ装着部５０の拡大外観図である。図８は、図４における(VIII)-(VIII)断面矢視を示す断面図である。図９は、図４における(IX)-(IX)断面矢視を示す断面図である。図１０は、図４における(X)-(X)断面矢視を示す断面図である。図１１は、図８における(XI)-(XI)断面矢視を示す断面図である。図１２は、ガイド溝部５２２の内部を下側から斜視拡大して示す斜視図である。図１３は、ガイド溝部５２２の内部を上側から斜視拡大して示す斜視図である。
コントローラ支持部４５は、電動モータ１５への電力供給を制御するコントローラ４７を内蔵支持する。このため、コントローラ４７は、図４および図５では図示を省略したが、適宜のリード線（導線）を介して電動モータ１５やバッテリ装着部５０と接続される。このコントローラ４７は、図４、図９、図１０に示すように、外形が矩形に形成される。コントローラ支持部４５は、コントローラ４７を本体ハウジング１２の内部に向けて前後上下左右からリブ状に突き出されることにより形成されている。
【００１８】
すなわち、図９に示すように、左側分割ハウジング１２１にあっては、コントローラ支持部４５をなす前側リブ４５１と後側リブ４５２と左側リブ４５３が、内側に向かって突き出されるようにして設けられている。また、右側分割ハウジング１２２にあっても、コントローラ支持部４５をなす前側リブ４６１と後側リブ４６２と右側リブ４６３が、内側に向かって突き出されるようにして設けられている。これらの前側リブ４５１，４６１と後側リブ４５２，４６２とは、コントローラ４７を前後で挟み込むようにして当接支持する。また、本体ハウジング１２の左側リブ４５３と右側リブ４６３とにあっても、コントローラ４７を左右で挟み込むようにして当接支持する。
さらに、図１０に示すように、左側分割ハウジング１２１にあっては、コントローラ支持部４５をなす上側当接部４５５と下側当接部４５６とが、内側に向かって突き出されるようにして設けられている。また、右側分割ハウジング１２２にあっても、コントローラ支持部４５をなす上側当接部４６５と下側当接部４６６とが、内側に向かって突き出されるようにして設けられている。これらの上側当接部４５５，４６５と下側当接部４５６，４６６とは、コントローラ４７を上下で挟み込むようにして当接支持する。
【００１９】
また、コントローラ支持部４５に隣接される箇所には、付勢ダンパ部４８が設けられている。付勢ダンパ部４８は、コントローラ支持部４５に当接支持されるコントローラ４７に対して付勢力を有しながら当接するダンパとして機能する。この付勢ダンパ部４８は、図９および図１０に示すように、コントローラ４７の右側面に当接してコントローラ４７を左側に向けて付勢している。なお、この付勢ダンパ部４８は、上記したゴムバンパ部７１が成形される際に、ゴムバンパ部７１と一緒に且つ一体に成形される。具体的には、右側分割ハウジング１２２には、図１０に示すように外部と内部とを連通する連通孔１９が設けられている。この連通孔１９を通じて成形材料（弾性材料）が流し込むことにより、ゴムバンパ部７１と付勢ダンパ部４８とは一緒に且つ一体に成形される。この付勢ダンパ部４８は、上記した左側リブ４５３と右側リブ４６３との間に配置されている。また、成形するために注入される成形材料は、本体ハウジング１２の外側から内側に連通孔１９を介して回り込むようになっており、回り込んだ成形材料は、コントローラ４７の下側に設けられる成形材料貯留室４９に浸入するようになっている。この成形材料貯留室４９は、後に説明する前バッテリ当接部５５（６５）を成形するにあたっての成形安定性を高めるために設けられている。このように設けられた付勢ダンパ部４８は、成形材料の弾性によってコントローラ４７を左側に向けて押圧するように支持する。つまり、付勢ダンパ部４８は、コントローラ４７を、ハンマビットＢの往復動方向と直交する左右方向（第２の方向）で押圧するように支持する。このように押圧支持する付勢ダンパ部４８は、ハンマドリル１０が外部からの不可抗力によって衝撃が加わるような場合であっても、このような衝撃からのコントローラ４７の損傷を軽減するようにコントローラ４７を弾性支持するように作用する。つまり、この付勢ダンパ部４８は、本発明に係る部品支持部に相当し、コントローラ４７は、本発明に係る電材部品に相当する。
【００２０】
次に、バッテリ装着部５０について説明する。複数となる２つのバッテリ装着部５０が、並列して設けられている。この２つのバッテリ装着部５０は、上記したコントローラ支持部４５の下側にて、前後方向で並列して設けられるものである。この２つのバッテリ装着部５０は、両者略同様に構成されている。なお、両者で相対的に前側に配置されるバッテリ装着部５０を前側バッテリ装着部５１として設定しており、両者で相対的に後側に配置されるバッテリ装着部５０を後側バッテリ装着部６１として設定している。これら前側バッテリ装着部５１と後側バッテリ装着部６１とのそれぞれには、１つずつの充電式バッテリ９０を装着することができる。このようにしてハンマドリル本体１１には、２つの充電式バッテリ９０が装着可能となっている。前側バッテリ装着部５１と後側バッテリ装着部６１とは、スライド装着タイプの充電式バッテリ９０に対応して、スライドして装着させるための構造が設けられている。なお、バッテリ装着部５０（５１，６１）に対する充電式バッテリ９０を装着させる際のスライド方向は、左から右に向かう方向に設定されている。また、前側バッテリ装着部５１（５０）と後側バッテリ装着部６１（５０）との間には、互いのバッテリ装着部５０同士を仕切る仕切壁体６０が設けられている。この仕切壁体６０には、後に説明するガイド溝部５２２とガイド溝部６２１が設けられている。
前側バッテリ装着部５１と後側バッテリ装着部６１との双方は、共に略同一に構成されるものとなっている。このため、バッテリ装着部５０を説明するにあたっては、前側バッテリ装着部５１についての符号（符号番号５０番台）を主に挙げて説明し、後側バッテリ装着部６１についての符号（符号番号６０番台）を括弧書きで付け加えて説明する。
【００２１】
すなわち、前側バッテリ装着部５１（６１）は、図６および図７に示すように、充電式バッテリ９０をスライドさせて装着される構造を有する。このため、前側バッテリ装着部５１（６１）には、充電式バッテリ９０をスライド装着させるための構造および充電式バッテリ９０を電気的に接続させるための構造が設けられている。すなわち、この前側バッテリ装着部５１（６１）には、スライド装着させるための構造として、対をなすガイド溝部５２１（６２１），５２２（６２２）が設けられている。このガイド溝部５２１（６２１），５２２（６２２）には、特に図示していないが、充電式バッテリ９０に設けられるガイド雄部がスライド方向で差し込まれるようにして嵌められる。このようにガイド雄部が嵌められるガイド溝部５２１（６２１），５２２（６２２）は、充電式バッテリ９０の装着のためのスライドを案内する。また、前側バッテリ装着部５１（６１）には、電気的接続がなされる構造として、正極側端子５３１（６３１）と負極側端子５３２（６３２）と信号側端子５３３（６３３）とを備えるバッテリ端子接続部５３（６３）が設けられている。このバッテリ端子接続部５３（６３）には、特に図示していないが充電式バッテリ９０に設けられる端子接続部が雌雄接続され、充電式バッテリ９０の電気的接続を行う。また、この前側バッテリ装着部５１（６１）には、充電式バッテリ９０をスライド装着させて電気的接続がなされた際に、この状態の充電式バッテリ９０を前側バッテリ装着部５１（６１）に対して固定される凹部５４（６４）が設けられている。この凹部５４（６４）は、特に図示していないが充電式バッテリ９０の雄フックが係合するようになっている。なお、スライド装着される充電式バッテリ９０の電圧としては、適宜の電圧のものが設定されている。
【００２２】
ところで、上記した前側バッテリ装着部５１の後側に配置されるガイド溝部５２２と、後側バッテリ装着部６１の前側に配置されるガイド溝部６２１とには、それぞれバッテリ当接部５５，６５が設けられている。具体的には、前側バッテリ装着部５１に充電式バッテリ９０を装着させるスライド方向右側のガイド溝部５２２の内部には、前バッテリ当接部５５が設けられている。また、後側バッテリ装着部６１に充電式バッテリ９０を装着させるスライド方向左側のガイド溝部６２１の内部には、後バッテリ当接部６５が設けられている。つまり、互いのバッテリ装着部５１，６１の間の仕切壁体６０の前後両側に配置されるガイド溝部５２２，６２１に対して、前バッテリ当接部５５と後バッテリ当接部６５とが設けられている。これら前バッテリ当接部５５と後バッテリ当接部６５とは、仕切壁体６０が対称中心線をなす対称形状を有して形成されている。
前バッテリ当接部５５は、充電式バッテリ９０が当接する順で当接先端部５６と押圧平坦部５７とを有して形成される。すなわち、前バッテリ当接部５５は、充電式バッテリ９０を前側バッテリ装着部５１に装着させる際の充電式バッテリ９０のスライドの間に、ガイド溝部５２２に嵌め込まれる充電式バッテリ９０のガイド雄部のスライド前端部が当たるようになっている。この当接先端部５６には、外縁として形成される先端対面部５６１と、この先端対面部５６１の内側（前側バッテリ装着部５１の内側）に設けられる先端傾斜面部５６２とを有する。先端対面部５６１は、装着される充電式バッテリ９０のスライド方向に対して直交方向に延びる面形状を有している。このため、先端対面部５６１は、スライドする充電式バッテリ９０に対面する。これに対して、先端傾斜面部５６２は、充電式バッテリ９０を装着するスライド方向にしたがって内側に向かっていくように傾斜する面形状を有している。この先端傾斜面部５６２は、装着が完了する前の充電式バッテリ９０のスライド時に、スライド方向で充電式バッテリ９０に対して当接すると共に、このスライド方向と直交交差する前側バッテリ装着部５１の内側向きで充電式バッテリ９０に対して当接する。また、押圧平坦部５７は、先端傾斜面部５６２のスライド方向前端からスライド方向に延びる面形状を有している。このため、この押圧平坦部５７が最も前側バッテリ装着部５１の内側に面して形成され、前側バッテリ装着部５１に向いて対面している。このように前バッテリ当接部５５は、ハンマビットＢの往復動方向で充電式バッテリ９０に対して付勢力を与えるように当接可能となっている。
【００２３】
後バッテリ当接部６５にあっても、上記した前バッテリ当接部５５と対称形状をなすように形成されている。すなわち、後バッテリ当接部６５も、充電式バッテリ９０が当接する順で当接先端部６６と押圧平坦部６７とを有して形成される。すなわち、後バッテリ当接部６５は、充電式バッテリ９０を後側バッテリ装着部６１に装着させる際の充電式バッテリ９０のスライドの間に、ガイド溝部６２２に嵌め込まれる充電式バッテリ９０のガイド雄部のスライド前端部が当たるようになっている。この当接先端部６６には、外縁として形成される先端対面部６６１と、この先端対面部６６１の内側（後側バッテリ装着部６１の内側）に設けられる先端傾斜面部６６２とを有する。先端対面部６６１は、装着される充電式バッテリ９０のスライド方向に対して直交方向に延びる面形状を有している。このため、先端対面部６６１は、スライドする充電式バッテリ９０に対面する。これに対して、先端傾斜面部６６２は、充電式バッテリ９０を装着するスライド方向にしたがって内側に向かっていくように傾斜する面形状を有している。この先端傾斜面部６６２は、装着が完了する前の充電式バッテリ９０のスライド時に、スライド方向で充電式バッテリ９０に対して当接すると共に、このスライド方向と直交交差する後側バッテリ装着部６１の内側向きで充電式バッテリ９０に対して当接する。また、押圧平坦部６７は、先端傾斜面部６６２のスライド方向前端からスライド方向に延びる面形状を有している。このため、この押圧平坦部６７が最も後側バッテリ装着部６１の内側に面して形成されており、この後側バッテリ装着部６１の内側に向いて対面している。つまり、この後バッテリ当接部６５は、ハンマビットＢの往復動方向となる第１の方向で充電式バッテリ９０に対して付勢力を与えるように当接することが可能な形状を有している。
【００２４】
このようにして形成される前バッテリ当接部５５および後バッテリ当接部６５は、上記したゴムバンパ部７１や付勢ダンパ部４８を成形する成形材料を利用して成形されている。このため、前バッテリ当接部５５と後バッテリ当接部６５とは、上記したゴムバンパ部７１や付勢ダンパ部４８と同様の弾性を有して形成されている。すなわち、前バッテリ当接部５５および後バッテリ当接部６５は、上記した付勢ダンパ部４８を成形するために注入される成形材料を、更に回り込ませることにより成形されている。具体的には、図８に示すように、仕切壁体６０には、前側連通孔５９および後側連通孔６９が設けられている。これら前側連通孔５９および後側連通孔６９は、図１０に示す成形材料貯留室４９と、図８に示すガイド溝部５２２およびガイド溝部６２１との間を通じさせる孔として形成される。このようにして成形材料貯留室４９に回り込んだ成形材料は、さらに前側連通孔５９および後側連通孔６９を通じて、ガイド溝部５２２およびガイド溝部６２１まで更に回り込むようになっている。このようにガイド溝部５２２およびガイド溝部６２１に回り込んだ成形材料は、上記した前バッテリ当接部５５および後バッテリ当接部６５のように成形することが可能となる。つまり、前バッテリ当接部５５と後バッテリ当接部６５とは、上記したゴムバンパ部７１および付勢ダンパ部４８と一緒に且つ一体に成形される。なお、図１０に示す成形材料貯留室４９は、前バッテリ当接部５５および後バッテリ当接部６５を成形するにあたって、成形材料の回り込みの流れを安定させる。
【００２５】
また、バッテリ装着部５０には、バッテリ装着部５０に装着された充電式バッテリ９０のガタつきを無くすために、バッテリ装着部５０が充電式バッテリ９０の上面に当接するピン形部材７５が設けられている。このピン形部材７５は、本発明に係る装着当接部に相当し、充電式バッテリ９０の対面方向で当接するように設定されている。なお、このピン形部材７５の充電式バッテリ９０に対しての当接方向となる対面方向は、第１の方向として設定されるハンマドリル１０の前後方向と、第２の方向として設定される充電式バッテリ９０のスライド方向（ハンマドリル１０の左右方向）との、両方の方向に対して直交交差する上下方向にて設定される。
具体的には、図１１に示すように、バッテリ装着部５０には、適宜の凹形状をなす保持凹部７３が設けられている。この保持凹部７３には、弾性を有するゴム樹脂により成形されたピン形部材７５が嵌め込まれる。このピン形部材７５は、保持凹部７３に嵌め込んだ場合に、この保持凹部７３から僅かに突き出される長さに設定されている。このため、保持凹部７３に嵌め込まれたピン形部材７５の露出端７６は、僅かながら外部に突き出されるように露出される。この露出端７６の端縁には、適宜の面取りされた面取部７７が設けられている。これにより、スライドして装着されようとする充電式バッテリ９０は、ピン形部材７５の面取部７７により、滑らかにピン形部材７５を乗り越えて装着完了状態とすることができる。また、露出端７６の外部端面は、平坦にされた当接端面７８として設定されている。これにより、バッテリ装着部５０に装着された充電式バッテリ９０は、ピン形部材７５の当接端面７８を充電式バッテリ９０に当接させるようになる。ここで、ピン形部材７５の当接端面７８は、バッテリ装着部５０に装着された充電式バッテリ９０の上面を僅かに面押圧しながら当接するようになっている。
なお、上記した保持凹部７３および保持凹部７３に嵌め込まれるピン形部材７５は、バッテリ装着部５０に装着された充電式バッテリ９０に対して充電式バッテリ９０の中心軸線に対して対称位置となる角位置近くの４箇所に設けられている。このため、バッテリ装着部５０に装着された充電式バッテリ９０に対するピン形部材７５の面押圧は、バランス良い面押圧となり、バッテリ装着部５０に装着された充電式バッテリ９０のガタつきをバランス良く抑えることができる。
【００２６】
上記したように形成される前バッテリ当接部５５および後バッテリ当接部６５は、次のように作用する。なお、この充電式バッテリ９０への当接作用を説明するにあたっては、前バッテリ当接部５５についてを説明し、後バッテリ当接部６５については括弧書きによる符号の追加によって説明するものとする。すなわち、前バッテリ当接部５５（６５）は、装着される充電式バッテリ９０のスライドにしたがって、充電式バッテリ９０のガイド雄部が当たるようになっている。
スライドさせる充電式バッテリ９０のガイド雄部は、当接先端部５６（６６）に当たる。具体的には、充電式バッテリ９０のガイド雄部のスライド方向端が、先端対面部５６１（６６１）と先端傾斜面部５６２（６６２）とを有する当接先端部５６（６６）に当たる。この際、当接先端部５６（６６）の弾性によって、スライドされるガイド雄部の当たりを緩衝させるように作用する。次いで、充電式バッテリ９０を装着させるスライドにしたがって、充電式バッテリ９０のガイド雄部を先端傾斜面部５６２（６６２）の傾斜に沿ってガイドすることができる。つまり、先端傾斜面部５６２（６６２）は、スライドされるガイド雄部をバッテリ装着部５０の内側に向けて押すように作用する。この際、先端傾斜面部５６２（６６２）は、スライドされるガイド雄部の当たり力を、先端傾斜面部５６２（６６２）の弾性によって緩衝させるように作用する。その後、スライドが完了されてバッテリ装着部５０に装着された充電式バッテリ９０は、押圧平坦部５７（６７）にて弾性支持される。つまり、押圧平坦部５７（６７）は、この前バッテリ当接部５５（６５）が設けられるガイド溝部５２２（６２１）から、対向されるガイド溝部５２１（６２２）に向けて、充電式バッテリ９０のガイド雄部を押圧するように弾性支持する。つまり、押圧平坦部５７（６７）は、ハンマビットＢの往復動方向となる前後方向で充電式バッテリ９０のガイド雄部に対して付勢力を与えるように当接する。
【００２７】
ところで、前側バッテリ装着部５１のガイド溝部５２１，５２２は、それぞれレール部５２，６２が設けられることにより形成されている。また、後側バッテリ装着部６１のガイド溝部６２１，６２２も、それぞれレール部５２，６２が設けられることにより形成される。これらそれぞれのレール部５２，６２には、充電式バッテリ９０の着脱のためのスライドの耐磨耗に有利とする補強部材８０が組み付けられている。詳しく言えば、前側バッテリ装着部５１のガイド溝部５２１，５２２をなす対をなすレール部５２のそれぞれに対して補強部材８０が組み付けられる。また、後側バッテリ装着部６１のガイド溝部６２１，６２２をなす対をなすレール部６２のそれぞれに対して補強部材８０が組み付けられる。すなわち、プラスチック樹脂により成形されるレール部５２，６２には、金属により成形される板金の補強部材８０が組み付けられている。このように組み付けられた補強部材８０は、金属により成形されているため、レール部５２，６２を成形しているプラスチック樹脂よりも耐磨耗性に優れる。このため、充電式バッテリ９０を着け外しする際の充電式バッテリ９０のスライドによるレール部５２，６２の磨耗を防ぐことができる。この補強部材８０が組み付けられるレール部５２，６２は、本発明に係るガイド溝部のガイド雄部が摺接する箇所に相当する。
この充電式バッテリ９０の重量は、レール部５２，６２にかかる。このため、このレール部５２，６２に対しての充電式バッテリ９０の摺接は、この充電式バッテリ９０の重量圧力を受けながらのものとなる。このため、補強部材８０が組み付けられる箇所は、ガイド溝部５２１，５２２，６２１，６２２に対して重力方向下側に設定されている。
この補強部材８０の組付け箇所は、ガイド雄部が嵌め始められるガイド溝部５２１，５２２，６２１，６２２の差込口端近くに設定されている。つまり、この補強部材８０の組付け箇所は、バッテリ装着部５０に対して充電式バッテリ９０を着脱させるにあたって、ガイド雄部からのスライド摩擦がレール部５２，６２のうち最も受け易い部分となっている。この補強部材８０による補強は、ガイド溝部５２１，５２２，６２１，６２２における充電式バッテリ９０のスライドのガイドをより安定したものとする。
【００２８】
さらに、レール部５２，６２は、充電式バッテリ９０のガイド雄部による凹形状に対して嵌り込む雄形状をなしている。つまり、充電式バッテリ９０のガイド雄部近くの部位と比較的擦れ易い。このため、補強部材８０は、ガイド溝部５２１，５２２，６２１，６２２を被せて覆うような、スライド方向で視た場合に３方向を囲う形状を有して形成されている。具体的には、補強部材８０は、ガイド溝部５２１，５２２，６２１，６２２の下側の面をレール部５２，６２を被せるようにして覆う形状を有してレール部５２，６２に組み付けられている。また、補強部材８０の組付けは、図１５に示すように、左右で合体させる際に左側分割ハウジング１２１と右側分割ハウジング１２２との対面される箇所において、左側分割ハウジング１２１と右側分割ハウジング１２２とに向けて組み付けられるようになっいる。具体的には、左側分割ハウジング１２１と右側分割ハウジング１２２との両方には、補強部材８０を組付け可能とする組付凹部８５０が設けられている。この組付凹部８５０は、次に説明する補強部材８０の形状に対応した形状を有して形成されている。また、補強部材８０は、図１５および図１６等に示すように、充電式バッテリ９０のスライド方向で視た場合に、上側と下側と内側（バッテリ装着部５０の内側）の３方向を囲うようなコ字形をなしている。具体的には、補強部材８０のコ字形は、上下に対面配置される対面壁８１，８１と、この対面壁８１，８１の両縁の一側縁を連接させる連接壁８２とを有して形成されている。なお、図１６に示すように、上下に対面配置される対面壁８１，８１にあっては、連接壁８２により連接される側と反対側の非連接側（バッテリ装着部５０の外側）の他側縁については僅かながらであるが、互いに近づくように傾斜設定されている。このため、単純に補強部材８０を組付凹部８５０（嵌込み凹部８５）に嵌め込んだだけで、連接壁８２により連接される側と反対側の非連接側の他側縁が組付凹部８５０を挟み込むようにして組付凹部８５０（嵌込み凹部８５）を把持する作用を奏する。
【００２９】
さらに補強部材８０には、掛止部８３，８４が設けられている。この掛止部８３，８４は、対面壁８１，８１のそれぞれの両側端に設けられている。言い換えれば、掛止部８３，８４は、左側分割ハウジング１２１と右側分割ハウジング１２２とのそれぞれに対して対面する両端に設けられている。この掛止部８３，８４は、左側分割ハウジング１２１と右側分割ハウジング１２２とを合体させてバッテリ装着部５０をなした場合に補強部材８０の外れを防止するように形成されている。つまり、掛止部８３，８４は、ガイド溝部５２１，５２２，６２１，６２２をなすレール部５２，６２の組付凹部８５０に対して掛止する構造を有して補強部材８０の外れを防止する。
具体的には、図１５に示すように、左側分割ハウジング１２１と対面する側の補強部材８０の左端には左側掛止部８３が設けられており、右側分割ハウジング１２２と対面する側の補強部材８０の右端には右側掛止部８４が設けられている。これら左側掛止部８３と右側掛止部８４とは、互いに対称をなすように形成されている。これら左側掛止部８３と右側掛止部８４とは、それぞれ端に向かうにしたがって先細となるテーパ形状を有している。これら左側掛止部８３と右側掛止部８４とは、掛止されるための突出端８３１，８４１が設けられていると共に、組付けに応じて案内されるガイド外縁部８３２，８４２が設けられている。すなわち、突出端８３１，８４１のバッテリ装着部５０の外側は、対面壁８１，８１の非連接側（バッテリ装着部５０の外側）の他側縁と連なる縁形状を有して形成されている。これに対して、この縁形状の逆側（バッテリ装着部５０の内側）には、上記したガイド外縁部８３２，８４２が設けられている。ガイド外縁部８３２，８４２は、それぞれ端に向かうにしたがって、対面壁８１，８１の非連接側（バッテリ装着部５０の外側）に向かう傾斜した縁形状を有して形成されている。つまり、ガイド外縁部８３２，８４２は、左側分割ハウジング１２１と右側分割ハウジング１２２との合体方向に対して、バッテリ装着部５０の外側に向かう方向に向けて傾斜している。このように形成されるガイド外縁部８３２，８４２は、次に説明する組付凹部８５０の両側端をなす掛止凹部８７，８８に嵌め込まれ、組付凹部８５０からの補強部材８０の外れを規制するように作用する。
【００３０】
また、上記した補強部材８０が組み付けられる組付凹部８５０は、上記した補強部材８０の形状に対応して形成されている。すなわち、図１６に示すように、組付凹部８５０は、組み付けられた補強部材８０がレール部５２，６２と面一をなすような凹形状を有して形成されている。具体的には、組付凹部８５０は、嵌込み凹部８５と、掛止凹部８７，８８とを有する。嵌込み凹部８５は、レール部５２，６２と面一な外周面を有するように、コ字形をなす補強部材８０の対面壁８１，８１と連接壁８２とを嵌め込ませる凹形状を有して形成される。この嵌込み凹部８５は、上側と下側と内側（バッテリ装着部５０の内側）の３方向にコ字形をなす凹形状が設けられることにより形成される。この嵌め込み凹部８５は、レール部５２を形成する左側分割ハウジング１２１のみに設けられており、レール部６２を形成する右側分割ハウジング１２２には設けられていない。また、掛止凹部８７，８８も、レール部５２，６２と面一な外周面を有するように、左側掛止部８３と右側掛止部８４とを嵌め込ませる凹形状を有して形成される。この掛止凹部８７，８８は、レール部５２，６２を形成する左側分割ハウジング１２１および右側分割ハウジング１２２の双方に設けられている。この掛止凹部８７，８８は、左側掛止部８３および右側掛止部８４を掛止するための突出端８３１，８４１に対応した掛止凹部８７１，８８１が設けられると共に、組付けに応じてガイド外縁部８３２，８４２を案内するガイド凹壁８７２，８８２が設けられている。つまり、ガイド凹壁８７２，８８２に対して掛止部８３，８４のガイド外縁部８３２，８４２が当たると、左右の組付け方向の力により掛止凹部８７，８８に突出端８３１，８４１が嵌まり込むように作用力が生ずる。つまり、補強部材８０が組付凹部８５０の凹形状に対応して正しく配置されるように、補強部材８０に対して組付け作用力が生ずるようになっている。また、補強部材８０に対しての組付け作用力は、この組付凹部８５０に対する補強部材８０の外れ防止力としても作用する。
【００３１】
なお、この補強部材８０を組付凹部８５０に組み付けるにあたっては、左側分割ハウジング１２１と右側分割ハウジング１２２とを分離させた状態で、先ず左側分割ハウジング１２１の嵌込み凹部８５に補強部材８０を嵌め込む。この際、上記した嵌込み凹部８５に対して補強部材８０の対面壁８１，８１は、この左側分割ハウジング１２１の嵌込み凹部８５を把持するように作用して仮留めしておくことができる。ここで、上記した左側分割ハウジング１２１と右側分割ハウジング１２２とを合体させると、上記したガイド凹壁８７２，８８２に対して掛止部８３，８４のガイド外縁部８３２，８４２が当たり、掛止凹部８７，８８に突出端８３１，８４１が嵌まり込むように作用することとなる。これによって、補強部材８０は組付凹部８５０の凹形状に対応した正しい位置に自然と配置される。このようにして、左側分割ハウジング１２１と右側分割ハウジング１２２との単純な組付けだけで、ガイド溝部５２１，５２２，６２１，６２２の所望箇所に補強部材８０を確実に組み付けておくことができる。
上記したように補強部材８０は、組付凹部８５０に対して、組付け作用力と外れ防止力とを有して組み付けられている。このため、左側分割ハウジング１２１と右側分割ハウジング１２２との合体を解除して、左側分割ハウジング１２１と右側分割ハウジング１２２とを分離させた場合には、このガイド溝部５２１，５２２，６２１，６２２の所望箇所に組み付けられる補強部材８０を取り外すことができる。
【００３２】
上記したハンマドリル１０によれば、次の作用効果を奏することができる。
すなわち、上記したハンマドリル１０によれば、バッテリ当接部５５，６５は、ハンマビットＢ（先端工具）の往復動方向で、このバッテリ装着部５０（５１，６１）に装着された充電式バッテリ９０に対して付勢力を与えることができる。これによって、ハンマビットＢの往復動方向でのバッテリ装着部５０（５１，６１）に対する充電式バッテリ９０の相対的な動きを止めることができる。したがって、ハンマビットＢの往復動方向に振動し易い充電式バッテリ９０のガタつきをより解消することができるので、バッテリ装着部５０（５１，６１）に装着された充電式バッテリ９０のガタつきの解消は十分なものにすることができる。また、上記したハンマドリル１０によれば、バッテリ当接部５５，６５は、本体ハウジング１２の外側に設けられる成形材料（弾性材料）を本体ハウジング１２の内側に回して設けられるので、１つの成形材料で成形することができるようになる。これによって、上記した充電式バッテリ９０のガタつきの解消を十分にしながら、成形時の材料点数を抑えることができ、製造作業の簡単化や製造コストの安価化等の観点から有利とできる。また、上記したハンマドリル１０によれば、バッテリ当接部５５，６５には、バッテリ装着部５０に充電式バッテリ９０が装着完了する前に充電式バッテリ９０に対して互いに交差する左右方向および前後方向で当接する当接先端部５６，６６が設けられている。これによって、バッテリ装着部５０に装着する際の充電式バッテリ９０を互いに交差する左右前後方向の２方向で当接先端部５６，６６を当接させてガタを抑えることができる。したがって、充電式バッテリ９０の装着をより安定した装着とすることができて、充電式バッテリ９０のバッテリ装着部５０（５１，６１）への装着をより確実にすることができる。また、上記したハンマドリル１０によれば、装着された充電式バッテリ９０を左右方向および前後方向の両方向に対して交差する上下方向で当接するピン形部材７５が設けられているので、上記した当接先端部５６，６６と共に装着された充電式バッテリ９０を左右前後上下方向で当接して支持することができる。これによって、充電式バッテリ９０の左右前後上下方向の３つの交差する方向のガタつきを解消することができるので、バッテリ装着部５０（５１，６１）に装着された充電式バッテリ９０のガタつきの解消は十分なものにすることができる。
また、上記したハンマドリル１０によれば、バッテリ当接部５５，６５はガイド溝部５２１，５２２，６２１，６２２に設けられている。このガイド溝部５２１，５２２，６２１，６２２は、充電式バッテリ９０のガイド雄部に対応した雌形に形成されているので、このガイド雄部を囲うように摺接することができる。これによって、バッテリ装着部５０（５１，６１）に装着された充電式バッテリ９０のガタつきを多方向で効率良く解消することができる。また、上記したハンマドリル１０によれば、上記した成形材料は、本体ハウジング１２の内部に設けられるコントローラ４７に当接してコントローラ４７を本体ハウジング１２の内部で支持する付勢ダンパ部４８も一体に形成するので、１つの成形材料の成形により更にコントローラ４７を支持することができる。これによって、上記した充電式バッテリ９０のガタつきの解消を十分にしながら、コントローラ４７を支持するための成形時の材料点数を抑えることができる。したがって、製造作業の簡単化や製造コストの安価化等の観点から有利とすることができる。また、上記したハンマドリル１０によれば、バッテリ装着部５０（５１，６１）が複数設けられているので、複数の充電式バッテリ９０を装着することができる。これによって、電力供給に関しての能力を上げることができる往復動工具とすることができる。例えば、供給電力の容量を大きくして長時間の利用を可能としたり、供給電力の電圧を高めて高出力の利用を可能としたりして、電動工具としての利用の幅を拡げることができる。また、上記したハンマドリル１０によれば、バッテリ装着部５０（５１，６１）の充電式バッテリ９０を装着させるスライド方向は、ツールホルダ３７の往復動方向と交差する左右方向に設定されているので、往復動方向の充電式バッテリ９０の嵩張りを減らすことができる。これによって、往復動方向のコンパクト化を図った往復動工具とすることができる。
【００３３】
上記したハンマドリル１０によれば、補強部材８０の組付けは、合体させる前の左側分割ハウジング１２１と右側分割ハウジング１２２との対面される箇所から左側分割ハウジング１２１と右側分割ハウジング１２２とに向けて組み付けられるようになっている。これによって、左側分割ハウジング１２１と右側分割ハウジング１２２とを合体させると同時に補強部材８０を組み付けることができる。ここで、補強部材８０には掛止部８３，８４が設けられているので、左側分割ハウジング１２１と右側分割ハウジング１２２とを合体させてバッテリ装着部５０（５１，６１）をなした場合には、ガイド溝部５２１，５２２，６２１，６２２からの補強部材８０の外れを規制して補強部材８０を組み付けられた箇所に対して掛止しておくことができる。したがって、左側分割ハウジング１２１と右側分割ハウジング１２２とを合体により、組み付けられた補強部材８０の組付け箇所からの外れを防止することができる。また、上記したハンマドリル１０によれば、掛止部８３，８４はガイド外縁部８３２，８４２が設けられているので、左側分割ハウジング１２１と右側分割ハウジング１２２との合体により補強部材８０が組付け位置に位置されるように補強部材８０を案内することができる。これによって、左側分割ハウジング１２１と右側分割ハウジング１２２との合体作業のみで補強部材８０の組付け作業が自動的に行われることとなる。したがって、この補強部材８０の組み付ける作業についての利便性を高めることができる。
また、上記したハンマドリル１０によれば、補強部材８０はスライド方向で視た場合に上側下側内側３方向を囲うコ字形をなしているので、スライド方向に対して交差する上側下側内側３方向を補強部材８０により補強しておくことができる。これによって、多方向で面する摺接面を１部材で効率良く補強しておくことができる。また、上記したハンマドリル１０によれば、掛止部８３，８４は補強部材８０のコ字形の対向する２面となる対面壁８１，８１のそれぞれに設けられているので、掛止部８３，８４による掛止を対をなしたバランスの良いものとすることができる。これによって、掛止部８３，８４による補強部材８０の外れの規制を、より強固な補強部材８０の外れの規制とすることができる。また、上記したハンマドリル１０によれば、補強部材８０の組付け箇所はガイド雄部が嵌め始められるガイド溝部５２１，５２２，６２１，６２２の差込口端近くに設定されているので、より磨耗され易いガイド溝部５２１，５２２，６２１，６２２の差込口端近くを重点的に補強することができる。また、上記したハンマドリル１０によれば、補強部材８０は、左側分割ハウジング１２１と右側分割ハウジング１２２とを分離させた場合にガイド溝部５２１，５２２，６２１，６２２の組み付けられる箇所に対して着脱可能に構成されているので、この補強部材８０を簡単に付け替えることができる。また、このハンマドリル１０を廃棄する場合にあっても、容易に補強部材８０を取り外して廃棄することができる。
【００３４】
ところで、上記した補強部材８０にあっては次のように構成されるものであってもよい。すなわち、図１８および図１９に示す符号８０Ａは、上記した補強部材８０の変形例である。図１８は、別の補強部材８０Ａの例を拡大して示す斜視図である。図１９は、図１８の補強部材８０Ａを左側分割ハウジング１２１に組み付けた場合を示す斜視図である。なお、この補強部材８０Ａは、組付凹部８５０Ａに組み付けるにあたっての掛止する構成が相違するのみである。このため、上記した実施の形態と同様の機能を奏する箇所については、上記した実施の形態にて説明した符号の末尾に‘Ａ’を付加した符号を図面に記して、その詳細な説明について省略するものとする。
すなわち、図１８および図１９に示す補強部材８０Ａは、補強部材８０の掛止部８３，８４に代替する機能部として掛止爪部８３Ａ，８４Ａが設けられている。この掛止爪部８３Ａ，８４Ａは、組付凹部８５０Ａに設けられる嵌合凹部８７Ａ，８８Ａに嵌合される。なお、この嵌合凹部８７Ａ，８８Ａに対する掛止爪部８３Ａ，８４Ａの嵌合は、この補強部材８０が有する対面壁８１Ａ，８１Ａおよび連接壁８２Ａの弾性変形により行われる。このように組付凹部８５０Ａに組み付けられた補強部材８０Ａは、嵌合凹部８７Ａ，８８Ａに掛止爪部８３Ａ，８４Ａが嵌合しているので、左側分割ハウジング１２１と右側分割ハウジング１２２とが分離している状態でも、補強部材８０Ａは組付凹部８５０Ａからより外れ難いものとなる。また、上記した補強部材８０は、前側バッテリ装着部５１のレール部５２と後側バッテリ装着部６１のレール部６２との対をなして設けられる両方ともに組み付けられているので、充電式バッテリ９０の着脱に関してのバッテリ装着部５０をなす両方のガイド溝部５２１，５２２，６２１，６２２の強度を高めることができる。
【００３５】
なお、上記した実施の形態のハンマドリル１０は、本発明に係る電動工具および本発明に係る往復動工具の一例として挙げたものである。本発明に係る電動工具にあっては、上記した実施の形態のハンマドリル１０の構成に限定されるものではなく、電動モータを駆動源にして構成される適宜の電動工具に応用することができる。例えば、本発明に係る電動工具としては、電動ドライバ、電動ドリル、ドライバドリル等であってもよく、クリーナ、ディスクサンダ、ポリッシャ等であってもよい。さらに、本発明に係る往復動工具としても、上記した実施の形態のハンマドリル１０の構成に限定されるものではなく、先端工具が取り付けられる工具出力部を往復動させる往復動機構部を有したものであればよく、例えば、レシプロソー等で構成されるものであってもよい。
また、本発明に係る弾性材料にあっては、上記した実施の形態のエラストマーの例に限定されることなく、適宜の弾性を有する材料が選択されるものであってよい。また、このバッテリ当接部を成形する弾性材料が、ゴムバンパ部７１や、付勢ダンパ部４８等と共通に利用される単一の弾性材料であることが必ずしも要されるものではない。
また、本発明に係るバッテリ当接部にあっては、上記した実施の形態のバッテリ当接部５５，６５の例に限定されることなく、対面位置などで対をなして設けられる等の多数箇所に設けられるものであってもよい。
また、本発明に係る補強部材にあっては、上記した実施の形態の補強部材８０の例に限定されることなく、ガイド溝部からの補強部材の外れを規制するように補強部材が組み付けられた箇所に対して掛止される掛止部が設けられていればよく、このように掛止部が設けられる構成であれば適宜の形状を選択できる。また、本発明に係るガイド縁部の形状としても、これと同様に適宜の形状を選択できる。
また、本発明に係る補強部材にあっては、上記した実施の形態の補強部材８０の例に限定されることなく、長さや大きさや数量を適宜に変更するものであってもよい。また、充電式バッテリが摺接される箇所について適宜の補強部材が設けられていればよく、摺接される箇所についても上記したレール部であることを要しない。
【符号の説明】
【００３６】
１０  ハンマドリル（電動工具、往復動工具）
１１  ハンマドリル本体（工具本体）
１２  本体ハウジング（成形部材）
１２１  左側分割ハウジング（第１成形部材）
１２２  右側分割ハウジング（第２成形部材）
１３  駆動部
１４  モータ部
１５  電動モータ（モータ）
１５１  固定子
１５２  回転子
１５３  コンミテータ
１６  モータ軸
１６１  下側ベアリング
１６２  上側ベアリング
１７  冷却ファン
１８１  吸気用開口部
１８２  排気用開口部
１９  連通孔
２０  入力ギヤ
２１  往復動機構部
２２  ギヤハウジング
２３  駆動変換部
２４  ベベルギヤ
２５  中間軸
２５１  後側ベアリング
２５２  前側ベアリング
２６  回転伝達ギヤ
２７  揺動機構
２７１  回転体
２７２  ボール溝
２７３  転動ボール
２７５  揺動リング
２７７  揺動ロッド
３０  往復動部
３１  筒状ピストン
３２  ストライカ
３３  インパクトボルト
３４  回転シリンダ
３５  回転被伝達ギヤ
３７  ツールホルダ（工具出力部）
３８  チャック
３９  切替スイッチ
４０  ハンドル部
４１  グリップ部
４３  操作スイッチ
４３１  スイッチ本体
４３２  操作トリガ
４５  コントローラ支持部
４５１  前側リブ
４５２  後側リブ
４５３  左側リブ
４５５  上側当接部
４５６  下側当接部
４６１  前側リブ
４６２  後側リブ
４６３  右側リブ
４６５  上側当接部
４６６  下側当接部
４７  コントローラ（電材部品）
４８  付勢ダンパ部（部品支持部）
４９  成形材料貯留室
５０  バッテリ装着部
５１  前側バッテリ装着部
５２  レール部
５２１，５２２  ガイド溝部
５３（６３）  バッテリ端子接続部
５３１（６３１）  正極側端子
５３２（６３２）  負極側端子
５３３（６３３）  信号側端子
５４（６４）  凹部
５５  前バッテリ当接部
５６  当接先端部
５６１  先端対面部
５６２  先端傾斜面部
５７  押圧平坦部
５９  前側連通孔
６０  仕切壁体
６１  後側バッテリ装着部
６２  レール部
６２１，６２２  ガイド溝部
６５  後バッテリ当接部
６６  当接先端部
６６１  先端対面部
６６２  先端傾斜面部
６７  押圧平坦部
６９  後側連通孔
７０  外装部材
７１  ゴムバンパ部
７３  保持凹部
７５  ピン形部材（装着当接部）
７６  露出端
７７  面取部
７８  当接端面
８０  補強部材
８１  対面壁
８２  連接壁
８３  左側掛止部
８３１，８４１  突出端
８３２，８４２  ガイド外縁部
８４  右側掛止部
８５０  組付凹部
８５  嵌込み凹部
８７，８８  掛止凹部
８７１，８８１  掛止凹部
８７２，８８２  ガイド凹壁
９０  充電式バッテリ
Ｂ  ハンマビット（先端工具）
【図１】
2015074060.tif 000003
【図２】
2015074060.tif 000004
【図３】
2015074060.tif 000005
【図４】
2015074060.tif 000006
【図５】
2015074060.tif 000007
【図６】
2015074060.tif 000008
【図７】
2015074060.tif 000009
【図８】
2015074060.tif 000010
【図９】
2015074060.tif 000011
【図１０】
2015074060.tif 000012
【図１１】
2015074060.tif 000013
【図１２】
2015074060.tif 000014
【図１３】
2015074060.tif 000015
【図１４】
2015074060.tif 000016
【図１５】
2015074060.tif 000017
【図１６】
2015074060.tif 000018
【図１７】
2015074060.tif 000019
【図１８】
2015074060.tif 000020
【図１９】
2015074060.tif 000021